(57)【特許請求の範囲】
【請求項１】
ディスク再生部と、前記ディスク再生部にディスクを搬送する搬送部と、前記ディスク再生部側にディスクを圧着する圧着位置と前記ディスクを解放する解放位置との間を移動可能に設けられたクランパーとを有するディスククランプ機構において、
前記搬送部は、ディスクに接する搬送位置とディスクを解放する解放位置との間を移動可能に設けられ、前記クランパーを圧着位置へ移動させるとともに、前記搬送部を解放位置に移動させるリンク機構と、
このリンク機構に、前記クランパーを前記圧着位置の手前で一時的に停止させると同時に、前記搬送部を解放位置へ移動開始させる制御部とを備えたことを特徴とするディスククランプ機構。
【請求項２】
前記ディスク再生部は、前記クランパーが一時的に停止した時に、ディスクのセンターホールに一部が入るターンテーブルを有することを特徴とする請求項１記載のディスククランプ機構。
【発明の詳細な説明】
【０００１】
【発明の属する技術分野】
本発明は、ディスク再生部に対して、ディスクを圧着して再生可能な状態とするためのディスククランプ機構に関する。
【０００２】
【従来の技術】
一般に、ＣＤやＤＶＤ等の円盤状記録媒体（以下、ディスクと呼ぶ）の再生を行うディスクプレーヤは、ケースの内部にターンテーブルや光学ピックアップを備えたディスク再生部と、ローディングローラ等によってディスクプレーヤ内へのディスクの搬入搬出を行う搬送部と、ターンテーブル上にディスクを装着するクランパー等を備えている。
【０００３】
このようなディスクプレーヤにおいては、ディスクの搬入時には、搬送部に対してローディングローラをディスクに圧着させて、ターンテーブル上まで搬送した後、ローディングローラをディスクから解放する動作が要求されるとともに、クランパーに対して、ディスクをターンテーブル上に圧着させる動作が要求される。
【０００４】
【発明が解決しようとする課題】
ところで、上述のような従来の技術においては、ディスクの搬入時には、搬送部のローディングローラがディスクから離れた後に、クランパーによってディスクをターンテーブル上に圧着（クランプ）していた。しかしながら、かかるタイミングでクランプを行なうと、ディスクがフリーになる瞬間が生じる場合があり、このとき、ディスクが自重で動いてしまって、ディスクのセンターホールとターンテーブルとが合致しない場合や、ディスクが傾いた状態で装着される可能性がある。かかる問題は、特に、縦姿勢や横姿勢でディスクをローディングするメカニズムの場合に生じやすい。
【０００５】
本発明は、上記のような従来技術の問題点を解決するために提案されたものであり、その目的は、ディスクを再生部側の正規の位置に圧着させることができるディスククランプ機構を提供することにある。
【０００６】
【課題を解決するための手段】
上記の目的を達成するため、請求項１の発明は、ディスク再生部と、前記ディスク再生部にディスクを搬送する搬送部と、前記ディスク再生部側にディスクを圧着する圧着位置と前記ディスクを解放する解放位置との間を移動可能に設けられたクランパーとを有するディスククランプ機構において、前記搬送部は、ディスクに接する搬送位置とディスクを解放する解放位置との間を移動可能に設けられ、前記クランパーを圧着位置へ移動させるとともに、前記搬送部を解放位置に移動させるリンク機構と、このリンク機構に、前記クランパーを前記圧着位置の手前で一時的に停止させると同時に、前記搬送部を解放位置へ移動開始させる制御部とを備えたことを特徴とする。
【０００７】
以上のような請求項１記載の発明では、ディスク再生部に対する圧着位置の手前で、クランパーが一時的に停止するので、ディスク再生部とクランパーとの間にディスクが係止され、自重で外れることがない。従って、その後のクランパーによる圧着を正確に行なうことができる。
【０００８】
また、搬送部からディスクが解放される際に、一時的に停止するクランパーによってディスクがフリーになることがないので、自重によるずれが防止される。
【０００９】
請求項２記載の発明は、請求項１記載のディスククランプ機構において、前記ディスク再生部は、前記クランパーが一時的に停止した時に、ディスクのセンターホールに一部が入るターンテーブルを有することを特徴とする。以上のような請求項２記載の発明では、ターンテーブルに対するディスクの圧着を行なう際、クランパーが一時的に停止するとともに、ターンテーブルの一部がディスクのセンターホールに入るので、ディスクが係止され、自重で外れることがない。従って、ターンテーブルの正規の位置にディスクを圧着させることができる。
【００１０】
【発明の実施の形態】
本発明の実施の形態（以下、実施形態と呼ぶ）を図１〜４を参照して以下に説明する。
［実施形態の構成］
［ディスク再生部］
まず、ディスク再生部は、ディスクプレーヤのケース内に設けられたプレート上に、ディスク再生用の部材を配設したものである。このディスク再生用の部材は、図１に示すように、ディスクが載置されスピンドルモータ１ａによって回転するターンテーブル１を有している。ターンテーブル１は、その中心に、ディスクＤのセンターホールが入るテーパ部を有している。その他、ディスク再生用の部材としては、図示はしないが、ディスクの情報を読み取る光学ピックアップ、光学ピックアップをディスクの径方向に移動させるピックアップ送り機構等がある。
【００１１】
［ディスク搬送部］
本実施形態は、図１に示すように、ディスク挿入口側にローディングローラ２とアッパーガイド３及びロワーガイド４が設けられている。ローディングローラ２は、モータで作動する駆動機構（図示せず）によって回動可能に設けられている。アッパーガイド３は、ローディングローラ２との間でディスクを挟持して、その移動をガイドする部材である。ロワーガイド４は、ローディングローラ２を軸支するように、アッパーガイド３の下部に配設されている。
【００１２】
そして、ロワーガイド４は、ローディングローラ２がディスクに圧着してアッパーガイド３との間でディスクを搬送するディスクローディング位置（図２における上方）と、退避してディスクを解放する解放位置（図２における下方）との間を移動するように、軸４ａを中心に回動可能に設けられている。また、ロワーガイド４には、後述するシフトプレート９のカム孔１１に係合するカムピン４ｂが設けられている。
【００１３】
［クランプ機構］
ターンテーブル１上にディスクを圧着するクランプ機構は、ターンテーブルに対峙するリング状のクランパー７と、このクランパー７が取り付けられたクランパーリンク８によって構成されている。クランパーリンク８は、ディスク挿入側とは反対側に設けられた軸部８ａを中心に回動可能に設けられることによって、クランパー７を上下に移動させる機能を有している。そして、クランパーリンク８は、図示しないスプリング等の弾性部材によって、クランパー７がディスクＤに圧着する方向（図１における下方）に付勢されている。さらに、クランパーリンク８には、後述するシフトプレート９のカム１０に当接するカムピン８ｂが設けられている。
【００１４】
［リンク機構］
ロワーガイド４とクランパーリンク８との間には、シフトプレート９が、図示しない駆動機構によって、前後（図中左右）にスライド移動可能に設けられている。このシフトプレート９の右上端には、クランパーリンク８のカムピン８ｂに当接するカム１０が形成されている。このカム１０は、カムピン８ｂを弾性部材の付勢力に抗して上方に付勢することによって、クランパーリンク８を上方に回動させてクランパー７をターンテーブル１から解放する解放部１０ａと、クランパー７を、ターンテーブル１との間でディスクＤを挟持するが、圧着しない状態で一時的に停止させる停止部１０ｂとを有している。
【００１５】
さらに、シフトプレート９の左端近傍には、ロワーガイド４のカムピン４ｂが係止するカム孔１１が設けられている。このカム孔１１は、カムピン４ｂを上方に付勢してローディングローラ２をアッパーガイド３側（ディスクＤに圧着する側）に付勢する圧着部１１ａと、カムピン４ｂを下方に付勢してローディングローラ２をアッパーガイド３から退避（ディスクＤを解放）させる退避部１１ｂとを有している。
【００１６】
なお、ローディングローラ２の回動、シフトプレート９のスライド移動は、ディスクプレーヤの各部に配置されたセンサによって検出された情報に基づいて、駆動源となるモータを制御装置によって制御することによって行なわれる。
【００１７】
［実施形態の作用］
以上のような本実施形態の作用を以下に説明する。まず、ディスク未挿入の初期状態においては、シフトプレート９は図中の右側にあり、カム１０の解放部１０ａがカムピン８ｂを弾性部材の付勢力に抗して上方に付勢しているので、クランパー７はターンテーブル１から乖離し、ディスク挿入用の隙間ができている。また、シフトプレート９のカム孔１１における圧着部１１ａが、カムピン４ｂを上方に付勢しているので、ロワーガイド４は上方に回動していて、ローディングローラ２がアッパーガイド３側に圧着したディスクローディング位置にある。
【００１８】
この状態から、図示しないディスク挿入口からディスクが挿入されると、これがセンサによって検知され、ローディングローラ２が回動を開始する。ディスクＤは、ローディングローラ２とアッパーガイド３との間に挟持されるとともに、ローディングローラ２の回転によって引き込まれ、ターンテーブル１の上まで搬送される。そして、センサによって、ディスクＤがチャッキング可能な位置に来たことが検知されると、シフトプレート９が図中の左側にスライド移動する。すると、図２に示すように、カムピン８ｂが、カム１０の解放部１０ａを越えるので、クランパーリンク８が一旦下降する。このとき、ディスクＤは、リング状のクランパー７とローディングローラ２とによって、挟まれた状態になっている。
【００１９】
そして、ディスクＤのセンターホールがターンテーブル１に合う位置（ディスクのセンターホールが一部ターンテーブル１にかかった状態）に来たときには、図３に示すように、カムピン８ｂは、カム１０の停止部１０ｂに当接しているので、クランパーリンク８は下降を一時的に停止している。同時に、ロワーガイド４のカムピン４ｂは、圧着部１１ａから退避部１１ｂへ移行するので、ローディングローラ２だけがディスクＤから離れる。
【００２０】
このとき、ディスクＤは、センターホールがターンテーブル１のテーパー部とクランパー７との間で僅かに動くようになっているが、使用姿勢によってディスクＤが自重で動いても、ディスクＤがターンテーブル１から外れない状態となっている。この状態で、さらにシフトプレート９が左に移動すると、図４に示すように、カムピン８ｂが、カム１０の停止部１０ｂから外れるので、クランパーリンク８がさらに下降して、クランパー７がディスクＤをターンテーブル１の正規の位置に圧着する。なお、ディスクＤをターンテーブル１から解放する際には、上述とは逆の動作（図４〜図１）を行うことになるが、この途中においても、上述のように、ディスクＤは、ターンテーブル１とクランパー７との間で自重による外れが防止される。
【００２１】
［実施形態の効果］
以上のような本実施形態によれば、ディスクＤをターンテーブル１に圧着したり解放したりする際に、ディスクＤがフリーになる瞬間が生じることがないので、ディスクＤが自重でずれてセンターホールとターンテーブル１とが合致しないという問題が生じない。従って、ディスクＤをターンテーブル１上の正規の位置にクランプさせることができる。このため、特に、縦姿勢や横姿勢でディスクＤをローディングするメカニズムの場合や、振動が加わる可能性のあるメカニズムの場合に適している。
【００２２】
［他の実施形態］
本発明は、上記の実施形態に限定されるものではなく、各部材の構造、材質、大きさ、形状、数量等は適宜変更可能である。例えば、ローディングローラ２を回動し昇降させる駆動機構、シフトプレート９を移動させる駆動機構、クランパーリンク８及びクランパー７の構成及びその昇降のための機構は、周知のあらゆる機構を適用することができる。また、上記の実施形態においては、クランパーを一時的に停止させる制御部を、シフトプレート９とそのカム１０によって実現していたが、これを、所定のプログラムに基づいて、各部を上記と同様の手順によって動作させるコンピュータにより実現することも可能である。
【００２３】
また、シフトプレート９及びそのカムの形状も、上記の実施の形態で示したものには限定されない。また、ローディングローラ２にディスクに対する圧着力とクランパーリンク８にディスクＤに対する圧着力を与える部材としては、種々の弾性部材、付勢部材を用いることができる。また、搬送部としては、ローディングローラ２には限定されない。例えば、ディスクＤの外周端面を挟持してスライド移動するものであってもよい。さらに、本発明が適用されるディスクプレーヤは、再生専用のものであっても、記録再生用のものであってもよく、平板状の記録媒体のための装置であれば、どのような種類や大きさの記録媒体を対象とする装置であってもよい。
【００２４】
【発明の効果】
以上説明したように、本発明によれば、ディスクを再生部側の正規の位置に圧着可能なディスククランプ機構を提供することができる。
【図面の簡単な説明】
【図１】本発明のディスククランプ機構の一つの実施形態におけるディスク解放時を示す一部透視側面図である。
【図２】本発明のディスククランプ機構の一つの実施形態におけるディスク圧着途中を示す一部透視側面図である。
【図３】本発明のディスククランプ機構の一つの実施形態におけるディスク圧着途中を示す一部透視側面図である。
【図４】本発明のディスククランプ機構の一つの実施形態におけるディス圧着状態を示す一部透視側面図である。
【符号の説明】
１…ターンテーブル
１ａ…スピンドルモータ
２…ローディングローラ
３…アッパーガイド
４…ロワーガイド
４ａ…軸
４ｂ…カムピン
７…クランパー
８…クランパーリンク
８ａ…軸部
８ｂ…カムピン
９…シフトプレート
１０…カム
１０ａ…解放部
１０ｂ…停止部
１１…カム孔
１１ａ…圧着部
１１ｂ…退避部
Ｄ…ディスク
【図１】
0003917882.tif 000002
【図２】
0003917882.tif 000003
【図３】
0003917882.tif 000004
【図４】
0003917882.tif 000005